(57)【要約】      （修正有）【課題】電子書籍独自のユーザインターフェースを実現し、ユーザ毎の個別の閲覧時にその利便性を向上させる。【解決手段】電子書籍端末において、少なくともオリジナルコンテンツデータを第１のレイヤとして、前記オリジナルコンテンツデータに関連付けられた関連コンテンツデータを第２のレイヤにそれぞれ表示するとともに、この関連コンテンツデータを前記オリジナルコンテンツデータと所定の条件で関連付けたレイヤ管理テーブルを設けてこのレイヤ管理テーブルを参照して、所定の条件が成立したときに関連コンテンツデータをオリジナルコンテンツデータに重畳して前記表示手段に表示する。【選択図】図４
2011243178.tif 000002
【特許請求の範囲】
【請求項１】
ネットワークを介してサーバからダウンロードされたオリジナルコンテンツデータを表示可能な電子書籍端末において、
少なくともオリジナルコンテンツデータを第１のレイヤとして、前記オリジナルコンテンツデータに関連付けられた関連コンテンツデータを第２のレイヤにそれぞれ表示する表示手段と、
前記関連コンテンツデータを前記オリジナルコンテンツデータと所定の条件で関連付けたレイヤ管理テーブルと、
前記レイヤ管理テーブルを参照して、所定の条件が成立したときに前記関連コンテンツデータを前記オリジナルコンテンツデータに重畳して前記表示手段に表示させる制御手段と
からなる電子書籍端末。
【請求項２】
前記レイヤ管理テーブルの関連コンテンツデータの関連付け条件は時間情報であり、所定の時間条件が成立したときに、前記制御手段は、前記関連コンテンツデータを前記オリジナルコンテンツデータに重畳して前記表示手段に表示させることを特徴とする請求項１記載の電子書籍端末。
【請求項３】
前記レイヤ管理テーブルの関連コンテンツデータの関連付け条件は位置情報であり、所定の位置条件が成立したときに、前記制御手段は、前記関連コンテンツデータを前記オリジナルコンテンツデータに重畳して前記表示手段に表示させることを特徴とする請求項１または２記載の電子書籍端末。
【発明の詳細な説明】
【技術分野】  本発明は、電子書籍端末のユーザインターフェースに関する。
【背景技術】  アマゾン社のキンドル（アマゾン社の商標）や、ｉＰａｄ（アップル社の商標）に代表されるように、電子書籍表示装置が注目されている。
これらの電子書籍表示装置では、紙媒体の書籍の印刷面と違和感がないように、出来る限り書籍の印刷面と同じレイアウトで文章や図表を表示するユーザインターフェースとするのが一般的であった。
しかし、このような紙媒体類似のユーザインターフェースでは、電子書籍表示装置としての特性を十分に活かしきれておらず、利便性に欠けるものであった。
本発明者らが調べた限りでは、電子書籍表示装置の先行技術としては、特開２００８−２０９６１号公報（特許文献１）が知られている。
【先行技術文献】
【特許文献１】特開２００８−２０９６１号公報
【発明の概要】
【発明が解決しようとする課題】  前記特許文献１は、コンテンツを閲覧するユーザに対して、コメントを最適なタイミングで表示するために、ディスプレイに現在表示されている電子書籍のうち、コメントが対応付けられている箇所の表示を終了させるための指示を受け付けて、この指示が受け付けられたとき、表示手段は、当該コメントをディスプレイに表示するようにしている。これにより、コメント対応箇所の閲覧が終了してから、コメントが表示されるという制御を実現したものである。
しかし、前記特許文献１は、単にコメントの表示を制御するだけで、電子書籍表示装置としての利便性が必ずしも十分なものとはいえなかった。
本発明者はこのような点に鑑みてなされたものであり、電子書籍独自のユーザインターフェースを実現し、ユーザ毎の個別の閲覧時にその利便性を向上させること技術的課題とする。
【課題を解決するための手段】  前記課題を解決するために以下の手段を採用した。
すなわち、本発明の請求項１は、ネットワークを介してサーバからダウンロードされたオリジナルコンテンツデータを表示可能な電子書籍端末において、少なくともオリジナルコンテンツデータを第１のレイヤとして、前記オリジナルコンテンツデータに関連付けられた関連コンテンツデータを第２のレイヤにそれぞれ表示する表示手段と、前記関連コンテンツデータを前記オリジナルコンテンツデータと所定の条件で関連付けたレイヤ管理テーブルと、前記レイヤ管理テーブルを参照して、所定の条件が成立したときに前記関連コンテンツデータを前記オリジナルコンテンツデータに重畳して前記表示手段に表示させる制御手段とからなる電子書籍端末である。
これによれば、制御手段の制御により、所定の条件が成立したときにだけオリジナルコンテンツデータ（第１レイヤ）と関連コンテンツデータ（第２レイヤ）とを表示手段上に重畳表示することができ、紙媒体による書籍では実現し得ないユーザ毎の個別の利便性を満たすことができる。たとえば、小説等のオリジナルコンテンツデータに対して、別の読者が第２レイヤ上でマーキングしたり、コメントを書き込んだりしているような場合、当該第２レイヤの閲覧が許可されているユーザのみが当該マーキングやコメントを閲覧することができる。
本発明の請求項２は、前記レイヤ管理テーブルの関連コンテンツデータの関連付け条件は時間情報であり、所定の時間条件が成立したときに、前記制御手段は、前記関連コンテンツデータを前記オリジナルコンテンツデータに重畳して前記表示手段に表示させることを特徴とする請求項１記載の電子書籍端末である。
これによれば、時間条件が成立したときにだけ第２レイヤに関連コンテンツデータを表示させることができる。たとえば、あらかじめ定められた時間にならないと関連コンテンツデータの閲覧ができないようにしておくことも可能でえある。ここでいう時間条件とは、日時を直接指定するものであってもよいし、経過時間をタイマでカウントダウンするものであってもよい。
本発明の請求項３は、前記レイヤ管理テーブルの関連コンテンツデータの関連付け条件は位置情報であり、所定の位置条件が成立したときに、前記制御手段は、前記関連コンテンツデータを前記オリジナルコンテンツデータに重畳して前記表示手段に表示させることを特徴とする請求項１または２記載の電子書籍端末である。
これによれば、所定の場所に当該電子書籍端末が位置することではじめて関連コンテンツデータを表示させるようにしてもよいし、あるいは逆に、所定の場所に位置したときに関連コンテンツデータを表示させないようにしてもよい。
さらに、時間情報と位置情報とを組み合わせて、ユーザが所定の年齢に達したときに所定の場所に行くことによって初めて関連コンテンツデータを表示させるようにしてもよい。
【発明の効果】  本発明によれば、電子書籍独自のユーザインターフェースを実現し、閲覧時にそのユーザ毎の個別の利便性を向上させることができる。
【図面の簡単な説明】
【図１】本発明の実施形態である電子書籍端末の外観図である。
【図２】実施形態の電子書籍端末のハードウエアブロック図
【図３】実施形態のレイヤの概念を示す図である。
【図４】実施形態のレイヤ管理テーブルの一例を示す説明図である。
【発明を実施するための形態】
次に、本発明の最良の実施形態を図を用いて説明する。
図１は、本実施形態の電子書籍端末の外観図である。同図に示すように、電子書籍端末は扁平筐体形状を有しており、その表面にタッチパネルディスプレが設けられている。そして、タッチパネルディスプレイの長手方向一端側には押しボタンが設けられており、画面遷移や電源のオン・オフ等の機能が割り当てられている。なお、電子書籍端末としては必ずしもこのような外観のものに限定されるものではない。
電子書籍端末のハードウエア構成は、図２に示すように、中央処理装置およびメインメモリを中心に、バスで接続されたユーザメモリ、前述のタッチパネルディスプレイおよび通信インターフェース（Ｉ／Ｏ）で構成されている。
ユーザメモリには、オペレーティングシステムとともに、この装置を電子書籍端末として機能させるためのアプリケーションプログラム、条件テーブル、オリジナルコンテンツデータ、関連コンテンツデータ等が登録されるようになっている。
オリジナルコンテンツデータおよび関連コンテンツデータは、通信インターフェース（Ｉ／Ｏ）を介して図示しないネットワークに接続されたコンテンツサーバからダウンロードされるようになっている。
コンテンツサーバからダウンロードされたオリジナルコンテンツデータや、関連コンテンツデータは、ユーザメモリに格納された後、中央処理装置の命令により順次バスおよびメインメモリを介してタッチパネルディスプレイに表示されるようになっている。
ここで、オリジナルコンテンツデータおよび関連コンテンツデータは、文字情報（テキストデータ）のみからなるものであってもよいし、画像データ、音声データまたは動画データを含むものであってもよい。たとえば、文字情報のみからなるオリジナルコンテンツデータに対して、同じく文字情報のみからなる他のユーザのコメントデータを関連コンテンツデータとして受信してもよいし、他のユーザが作成した画像データまたは音声データを関連コンテンツデータとして受信してもよい。
図３は、本実施形態において、表示手段としてのタッチパネルディスプレイに表示されるレイヤの概念図である。この実施形態では３つのレイヤ（Ｌ１〜Ｌ３）で構成されているが、４以上のレイヤ、あるいは２つのレイヤであってもよいことは勿論である。この実施形態では、たとえばレイヤＬ３にオリジナルコンテンツデータを表示して、その上のレイヤＬ１またはＬ２にマーキングデータまたはコメントデータ等の関連コンテンツデータを表示してもよい。
図４（上図）は、それぞれのレイヤと、表示条件を関連付けた条件テーブルの内容を示す説明図である。
同図において、レイヤＩＤには、それぞれのレイヤに表示されるオリジナル書籍データまたは関連コンテンツデータの条件が関連付けられて登録されている。たとえば、レイヤＩＤ＝００００００１は条件（１）として「位置情報が東京都内」であり、かつ条件（２）として「時間が１５：００〜１８００」であるときに表示されるデータであることを規定している。
同様に、レイヤＩＤ＝００００００２は、条件（１）として「ユーザ年齢が２０歳以上」であるときに表示されるデータであることを規定している。
中央処理装置は、アプリケーションプログラムにしたがって、この条件テーブルを参照しながら、条件が成立するレイヤＩＤのデータをタッチパネルディスプレイに表示する。
図４（下図）は、条件テーブルの下位テーブルとしてのオブジェクト管理テーブルを示している。これは一つの書籍データに対して、オブジェクトデータを順次表示していくことを意味している。たとえば、クリスマスイブである１２月２４日に向けて、同月２１日からカウントダウンしながら新たなコンテンツを表示していくような場合に有効である。
【産業上の利用可能性】  本発明は、電子書籍事業に利用することができる。
【符号の説明】ＴＰＤＩＳＰ  タッチパネルディスプレイ
ＣＰＵ  中央処理装置
ＭＭ  メインメモリ
ＢＵＳ  バス
ＯＳ  オペレーティングシステム
ＡＰＬ  アプリケーションプログラム
Ｌ−ＴＢＬ  条件テーブル
Ｏ−ＣＯＮ  オリジナルコンテンツデータ
Ｒ−ＣＯＮ  関連コンテンツデータ
Ｉ／Ｏ  通信インターフェース
Ｌ１〜Ｌ３  レイヤ
【図１】
2011243178.tif 000003
【図２】
2011243178.tif 000004
【図３】
2011243178.tif 000005
【図４】
2011243178.tif 000006